(57)【要約】  統合アクセス装置（ＩＡＤ）の配下の加入者ＩＰ電話サービス機能をアクセスゲートウェイ（ＡＧＷ）に収容して、ＰＳＴＮネットワーク（３）側の通話路およびＩＰネットワーク（４）側の通話路を、加入者毎に択一的に形成するように構成し、またＩＰネットワーク（４）側の障害発生時には、自動的にＰＳＴＮネットワーク（４）側の通話路へ切り替えるようにしたアクセスゲートウェイである。
2009031205.tif 000002
【特許請求の範囲】
【請求項１】
制御パケットと音声パケットからなるＩＰパケットを統合アクセス装置（ＩＡＤ）から受信するＩＡＤインタフェースと、
前記ＩＡＤインタフェースからの前記制御パケットを入力として制御情報の変換を行う制御信号変換機能部と、
前記ＩＡＤインタフェースからの前記音声パケットを入力として音声情報の変換を行う音声信号変換機能部と、
前記変換後の制御情報と前記変換後の音声情報とを入力として、前記ＩＰパケットをＩＰネットワーク側のソフトスイッチ（ＳＳ）およびＰＳＴＮ側のローカル交換機（ＬＥ）のいずれか一方に振り分ける振分け機能部と、
を備えることを特徴とするアクセスゲートウェイ。
【請求項２】
前記制御信号変換機能部は、
前記ＩＰパケットの転送制御を規定する第１プロトコルと、前記振分け機能部から前記ソフトスイッチ（ＳＳ）への転送制御を規定する第２プロトコルとの間のプロトコル変換と、
前記第１プロトコルと、前記振分け機能部から前記ローカル交換機（ＬＥ）への転送制御を規定する第３プロトコルとの間のプロトコル変換と、
前記統合アクセス装置（ＩＡＤ）側で転送される前記ＩＰパケットのＩＰアドレスと、前記ソフトスイッチ（ＳＳ）側で転送される前記ＩＰパケットのＩＰアドレスとの間のアドレス変換と、
前記統合アクセス装置（ＩＡＤ）側で転送される前記ＩＰパケットのＩＰアドレスと、前記ローカル交換機（ＬＥ）側で転送されるＴＤＭ信号の電話番号との間の番号−アドレス変換と、
を行うことを特徴とする請求項１に記載のアクセスゲートウェイ。
【請求項３】
前記第１プロトコルは、Ｈ．２４８，ＭＧＣＰ，ＳＩＰ，Ｈ．３２３のいずれかを含み、前記第２プロトコルは、Ｈ．２４８，ＭＧＣＰ，ＳＩＰ，Ｈ．３２３のいずれかを含み、
前記第３プロトコルは、Ｖ５．１，Ｖ５．２、内部仕様プロトコルのいずれかを含むことを特徴とする請求項２に記載のアクセスゲートウェイ。
【請求項４】
前記制御信号変換機能部は、
前記統合アクセス装置（ＩＡＤ）と接続するＩＡＤインタフェース・モジュールと、
該ＩＡＤインタフェース・モジュールに接続し、ＩＰ電話サービスのためのプロトコル制御を行うＭＥＧＡＣＯスタック・モジュールと、
該ＭＥＧＡＣＯスタック・モジュールに接続し、前記統合アクセス装置（ＩＡＤ）の配下の加入者情報を登録しかつ該加入者の通話状態を監視するＭＧＣ（Media Gateway Control）レジスタ・モジュールと、
前記ＭＥＧＡＣＯスタック・モジュールに接続し、前記プロトコル変換および前記アドレス変換を行うシグナリング変換モジュールと、
を有することを特徴とする請求項２に記載のアクセスゲートウェイ。
【請求項５】
前記音声信号変換機能部は、
前記統合アクセス装置（ＩＡＤ）と接続するＩＡＤインタフェース・モジュールと、
該ＩＡＤインタフェース・モジュールに接続し、前記ＩＰパケットをＲＴＰパケット化するＲＴＰ／ＲＴＣＰモジュールと、
該ＲＴＰ／ＲＴＣＰモジュールからの出力パケットを入力として、これを前記ローカル交換機（ＬＥ）向けのＴＤＭ信号にデジタル処理し、また、前記出力パケットを入力として、これを前記ソフトスイッチ（ＳＳ）向けのＩＰパケット信号にデジタル処理するＤＳＰモジュールと、
該ＤＳＰモジュールのリソースを管理するリソースマネージャ・モジュールと、
を有することを特徴とする請求項２に記載のアクセスゲートウェイ。
【請求項６】
前記ＤＳＰモジュールからの出力デジタル信号を、前記第２プロトコルに従って前記ソフトスイッチ（ＳＳ）に転送するプロセッサと、
前記ＤＳＰモジュールからの出力デジタル信号を、前記第３プロトコルに従って前記ローカル交換機（ＬＥ）に転送するＴＤＭスイッチと、
を備えることを特徴とする請求項５に記載のアクセスゲートウェイ。
【請求項７】
前記プロセッサおよびＴＤＭスイッチと、前記統合アクセス装置（ＩＡＤ）の配下の加入者についてその通話制御を管理して前記プロセッサおよびＴＤＭスイッチからの前記ＩＰパケットおよびＴＤＭ信号の配信を制御するプロビジョンマネージャ・モジュールと、から前記振分け機能部を構成することを特徴とする請求項６に記載のアクセスゲートウェイ。
【請求項８】
前記プロセッサが前記ソフトスイッチ（ＳＳ）から障害等の発生通知を受けたとき、前記プロビジョンマネージャ・モジュールを介して、現状の通話路を前記ＴＤＭスイッチ側に切り替え、
前記ＴＤＭスイッチが前記ローカル交換機（ＬＥ）から障害等の発生通知を受けたとき、前記プロビジョンマネージャ・モジュールを介して、現状の通話路を前記プロセッサ側に切り替えることを特徴とする請求項７に記載のアクセスゲートウェイ。
【請求項９】
統合アクセス装置（ＩＡＤ）の配下の加入者ＩＰ通話サービスを実現する機能をアクセスゲートウェイ（ＡＧＷ）内に収容し、
前記加入者ＩＰ電話サービスとして提供する通話であって、前記ソフトスイッチ（ＳＳ）を介したＩＰネットワークとの通話路および前記ローカル交換機（ＬＥ）を介したＰＳＴＮネットワークとの通話路、のいずれか一方を択一的に切り替え、
前記２つの通話路の形成のために、前記統合アクセス装置（ＩＡＤ）との間で使用されるプロトコルと、前記ソフトスイッチ（ＳＳ）との間で使用されるプロトコルまたは、前記ローカル交換機（ＬＥ）との間で使用されるプロトコルとの間のプロトコル変換を行い、
前記２つの通話路の形成のために、前記統合アクセス装置（ＩＡＤ）との間で転送されるＩＰパケットのＩＰアドレスと、前記ソフトスイッチ（ＳＳ）との間で転送されるＩＰパケットのＩＰアドレスまたは前記ローカル交換機（ＬＥ）との間で転送されるＴＤＭ信号の電話番号との間のアドレス変換を行う、
ことを特徴とするアクセスゲートウェイの運用方法。
【請求項１０】
前記ソフトスイッチ（ＳＳ）側で障害等が発生しているか否か監視し、
前記障害等が発生していると判定したとき、前記ソフトスイッチ（ＳＳ）との間で形成している前記通話路を、前記ローカル交換機（ＬＥ）側の通話路に切替える
ことを特徴とする請求項９に記載のアクセスゲートウェイの運用方法。
【請求項１１】
前記ＩＰネットワークとのＩＰ通信を主体として、前記ＰＳＴＮネットワークとのＰＳＴＮ通信も許容する第１通信サービスと、
前記ＩＰネットワークとのＩＰ通信のみに制限する第２通信サービスと、
前記ＰＳＴＮネットワークとのＰＳＴＮ通信を主体として、前記ＩＰネットワークとのＩＰ通信も許容する第３通信サービスと、
前記ＰＳＴＮネットワークとのＰＳＴＮ通信のみに制限する第４通信サービスと、
を選択的に提供することを特徴とする請求項１１に記載のアクセスゲートウェイの運用方法。
【発明の詳細な説明】
【技術分野】
【０００１】
本発明は、ＮＧＮ（Next Generation Network）用コアネットワークへのゲートウェイとしての機能も備えたプラットフォームであるアクセスゲートウェイ（Access Gateway：ＡＧＷ）に関する。
【背景技術】
【０００２】
近年、ＤＳＬ，ＦＴＴＨ，ＣＡＴＶ等のインターネット技術の進展により、ブロードバンドアクセス網が急速に普及すると共に利用料金も低廉化していることから、ＩＰネットワークへの常時接続といった環境の整備も急速に進んでいる。このため、ＩＰ電話を初めとして、ＩＰネットワーク上で展開される種々のアプリケーションを、多くのユーザが容易に利用可能な環境が整いつつある。【０００３】
ここに通信網全体から見ると、これまでの公衆交換電話網（Public Switched Telephone Network：ＰＳＴＮ）を中核とする通信網（ＰＳＴＮネットワーク）から、ＩＰ（Internet Protocol）を基盤とする通信網（ＩＰネットワーク）へと、変化していく傾向が加速しつつある状況にある。しかし前者のＰＳＴＮネットワークにおいては、長い年月をかけて多種多様なサービスやアプリケーションが完成しており、後者のＩＰネットワークのそれと比べてまだかなりの差がある。とは言うものの、そのＰＳＴＮネットワークにおける多種多様なサービスやアプリケーションは全て、既存のメタルケーブルからなるアクセス系インフラのもとで開発され提供されてきたものである。【０００４】
このような状況下においてオペレータは、既存のＰＳＴＮでのサービス等をそのまま継続しつつＮＧＮへと移行するという、いわゆるマイグレーションの問題を解決しなければならない。この問題の解決は、ＰＳＴＮでのサービス等を単にＶｏＩＰ（Voice over Internet Protocol）上に展開するといった解決手法では十分ではない。【０００５】
近年、かかるマイグレーションへの要求に柔軟に対応できる装置が登場した。これが上記のアクセスゲートウェイ（ＡＧＷ）である。これは“Multi Service Access Node”（ＭＳＡＮ）とも称されている。このＡＧＷは、種々のアクセス技術、例えばＰＯＴＳ(Plain Old Telephones Service），ＩＳＤＮ(Intergrated Services Digital Network)，ｘＤＳＬ(x Digital Subscriber Line)，ＰＯＮ(Passive Optical Network)，等のもとで、ＰＳＴＮとＮＧＮの双方のサービスをコスト効率良く提供可能な装置であり、ＮＧＮコアネットワークへのゲートウェイとしての機能も備えたプラットフォームを提供するものである。【０００６】
通信事業者（キャリア）は、このようなＡＧＷを通信網内に導入することによって、上述した既存の多種多様なサービス等を継続して提供しつつ、その通信網をＮＧＮへと円滑に移行させることができ、かつ、多岐にわたる上記のアクセス技術のもとで新たなサービスやアプリケーションを提供していくことができる。【０００７】
例えばこのＡＧＷの導入によって、従来のＰＳＴＮにおけるＩＳＤＮ等のもとで音声サービスを提供しつつ、同時にそのＡＧＷのゲートウェイ機能によって、ＮＧＮ内に設けられたソフトスイッチ（Soft Switch：ＳＳ）に接続して、メタルケーブルによるＩＰ電話音声サービスをも提供することができる。【０００８】
なお本発明に関連する公知技術としては下記の〔特許文献１〕がある。この特許文献１では、ＩＰ網を利用する場合と、迂回網を利用する場合とで番号体系が異なる場合でも、配下に収容するＩＳＤＮ端末から着信した呼を、ＩＰ網から迂回網へ迂回させて通信相手に着信させるようにしたＶｏＩＰゲートウェイ装置が開示されている。【０００９】
【特許文献１】特開２００６−２２９３０３号公報
【発明の開示】
【発明が解決しようとする課題】
【００１０】
上述のように、ＰＳＴＮネットワークからＮＧＮ・ＩＰネットワークへと変化する過程において、コアネットワークのＩＰ化と加入者側のアクセスネットワークのＩＰ化のそれぞれの進展具合を比較すると両者は一様ではなく、例えば統合アクセス装置（Integrated Access Device：ＩＡＤ）を配下に備える加入者側アクセスネットワークのＩＰ化は急速である。このようにＩＰ化が進んだアクセスネットワークを有するエリアにおいては、さらなる通信品質の向上を求めるユーザが多い。この向上を求める通信品質とは、例えば、既存のＰＳＴＮが提供している通信品質と同等の高い通信品質である。【００１１】
したがって本発明は、アクセス統合装置（ＩＡＤ）に、アクセスネットワークを介して接続するアクセスゲートウェイ（ＡＧＷ）であって、ＰＳＴＮ並みの高い品質の通話を実現することのできるアクセスゲートウェイを提供することを目的とするものである。【００１２】
またそのアクセスゲートウェイの運用方法を提供することを目的とするものである。
【課題を解決するための手段】
【００１３】
図１は、本発明に係るアクセスゲートウェイ（ＡＧＷ）を導入したときに実現される通信網全体の構成例を示す図である。【００１４】
図１において、参照番号１は通信網全体を表し、その中央に本発明に係る、アクセスゲートウェイ（ＡＧＷ）２が示されている。このＡＧＷ２以外は全て既存のネットワーク構成要素である。このＡＧＷ２は、例えばＣＯ（Central Office）局に設置される。【００１５】
通信網１内のネットワーク自体としては、ＰＳＴＮネットワーク３と、ＩＰネットワーク（ＩＰデータネットワーク）４と、アクセスネットワーク（アクセスＩＰネットワーク）５が示されている。また例えばＬＡＮ６も示されている。【００１６】
このＬＡＮ６内には既述の統合アクセス装置（ＩＡＤ）が設けられている。このＩＡＤ７はＩＰネットワーク４への接続と通話に関する機能を備えており、主たる機能の１つとしては、電話機等の各種端末からの信号のパケット化がある。【００１７】
ＩＡＤ７からのＩＰパケットには、音声パケットやデータパケットが含まれるが、従来は、これらのパケットは直接ソフトスイッチＳＳ１２に転送されていた。なお、図中、アクセスネットワーク５内に示された構成要素の８および９はそれぞれ、認証局およびアクセスネットワーク・ノードである。【００１８】
一方、本発明によると、ＩＡＤ７からの音声パケットおよび制御パケットは、本発明に係るアクセスゲートウェイ（ＡＧＷ）２において一旦終端され、その終端後、ＰＳＴＮネットワークルート（３）か、またはＩＰネットワークルート（４）に、必要に応じて、切り替えられる（図中の「切替」参照）。従来のＡＧＷでは、ＩＡＤ７側からのＩＰパケットをＩＰネットワーク側かＰＳＴＮネットワーク側に任意に切り替えるという構成のものはなかった。【００１９】
ここにＰＳＴＮネットワーク３側の音声信号はローカル交換機（Local Exchange：ＬＥ）１１に転送され、一方、ＩＰネットワーク４側の音声パケットはソフトスイッチ（ＳＳ）１２側に転送される。
【発明の効果】
【００２０】
（Ａ）従来のＩＡＤ７はソフトスイッチ（ＳＳ）１２に直接収容されている。しかし本発明によれば、そのＩＡＤ７はアクセスゲートウェイ（ＡＧＷ）２に収容するものとする。すなわち、ＩＡＤ７の配下の加入者ＩＰ電話サービスを実現する機能をＡＧＷ２に収容する。さらに、このＡＧＷ２から、既存のＰＳＴＮネットワーク３への接続ルートを、このＡＧＷ２内において形成する。【００２１】
このように構成されたＡＧＷ２によって、通常は、（ｉ）ソフトスイッチ（ＳＳ）１２経由でＩＰ電話サービスを提供するか（ＩＰネットワークルート）、または（ii）ローカル交換機（ＬＥ）１１経由でＰＳＴＮの一般電話サービスを提供するか（ＰＳＴＮネットワークルート）、の２つのルートのいずれかに、必要に応じて任意にＡＧＷ２内で切り替えることができる。【００２２】
例えば、ＡＧＷ２の上位ネットワーク（ＰＳＴＮネットワーク３またはＩＰネットワーク４）における一方のネットワークでの障害時あるいは輻輳時に、他方のネットワークに切り替えることができ、しかもその切替を自動で行うことができる。いわゆる自動リルート機能である。これは、図１のＳＳ１２からＡＧＷ２への障害等の発生通知か、あるいはＬＥ１１からＡＧＷ２への障害等の発生通知をトリガーとして行うことができる。かくして、きわめて通信信頼性の高い通信網１を実現することができる。【００２３】
（Ｂ）通信事業者（キャリア）が提供する音声通話サービスの種類を、ＡＧＷ２において細かく設定することができる。例えばＰＳＴＮネットワークルートのみのサービスか、ＩＰネットワークルートのみのサービスか、あるいは、一方のルートから他方のルートへ任意に切替可能なサービス等の、自由な選択が可能となる。またこれを１台のＡＧＷで実現するので、運用コストを増大させることもない。【００２４】
（Ｃ）固定電話の番号体系（例えば、０３，０６）と、ＩＰ電話の番号体系（例えば０５０）とを、ＡＧＷ２において認識することによって、発呼先の着番号が固定電話の番号であるときは、ＡＧＷ２から直接ＰＳＴＮネットワーク３へ当該呼を接続し、一方、それがＩＰネットワークのＩＰアドレスであれば、当該呼をソフトスイッチ（ＳＳ）１２へ転送することができる。【００２５】
ちなみに従来は、上記の呼を前者のＰＳＴＮネットワーク３に転送する場合、ＩＰネットワーク４からネットワークゲートウェイ（Network Gateway：ＮＧＷ）１３を迂回してＰＳＴＮネットワーク３に当該呼を転送していた。これに比べると、本発明のもとでは、そのような迂回なしに直接ＰＳＴＮネットワーク３に接続でき、最短ルートをとることができる。【００２６】
これはＮＧＷ１３の負荷を軽くすることになり、したがって通信網（１）全体の安定化をもたらすことになる。【００２７】
（Ｄ）特に重要な通信を行うユーザにとって有益である。現状のＩＰ電話では、音声の遅延や揺らぎ、あるいは欠落を伴う場合があって、一般の固定電話並みの高い通話品質は保証されていない。【００２８】
そこで重要通信の指示がある場合、あるいは緊急呼（１１０，１１９）等の重要通信の発呼の場合には、ＡＧＷ２において当該呼の発生を認識し、より通信品質が高くかつ安定したＰＳＴＮネットワーク３側ルートへ当該呼を転送することができる。またその着信の成功率を高めることもできる。
【図面の簡単な説明】
【００２９】
【図１】図１は、本発明に係るアクセスゲートウェイ（ＡＧＷ）を導入したときに実現される、通信網全体の構成例を示す図である。
【図２】図２は、本発明に係るアクセスゲートウェイ（ＡＧＷ）２の概要を示す図である。
【図３】図３は、本発明の一実施例によるアクセスゲートウェイ（ＡＧＷ）２を示す図である。
【図４】図４は、アクセスゲートウェイ（ＡＧＷ）２内でのプロトコル変換を示す図である。
【図５】アクセスゲートウェイ（ＡＧＷ）２でのＩＰアドレス（番号−アドレス）変換の一例を表す図である。
【図６】アクセスゲートウェイ（ＡＧＷ）２との接続に用いる物理層インタフェースの一例を示す図である。
【図７】図７は、本発明のアクセスゲートウェイ（ＡＧＷ）２の運用方法の一例を説明するための図である。
【符号の説明】
【００３０】
１    通信網
２    アクセスゲートウェイ（ＡＧＷ）
３    ＰＳＴＮネットワーク
４    ＩＰネットワーク
５    アクセスネットワーク
７    統合アクセス装置（ＩＡＤ）
１１    ローカル交換機（ＬＥ）
１２    ソフトスイッチ（ＳＳ）
１３    ネットワークゲートウェイ（ＮＧＷ）
２１    ＩＡＤインタフェース（ＩＡＤ・ＩＮＦ）
２２    制御信号変換機能部
２３    音声信号変換機能部
２４    ＩＰ／ＰＳＴＮ振分け機能部
３１    ＩＡＤインタフェース・モジュール
３２    ＭＥＧＡＣＯスタック・モジュール
３３    ＭＧＣレジスタ・モジュール
３４    シグナリング変換モジュール
３５    リソースマネージャ・モジュール
３６    ＲＴＰ／ＲＴＣＰモジュール
３７    ＤＳＰ(Digital Signal Processor)モジュール
３８    プロビジョンマネージャ・モジュール
４１    ＴＤＭスイッチ（ＴＤＳＷ）
４２    プロセッサ（ＭＰＵ）
５１    プロトコル変換テーブル
５２    アドレス（番号）変換テーブル
【発明を実施するための最良の形態】
【００３１】
図２は本発明に係るアクセスゲートウェイ（ＡＧＷ）２の概要を示す図である。なお本図中、ＡＧＷ２と接続する隣接の、統合アクセス装置（ＩＡＤ７）、ＰＳＴＮネットワーク（３）側のローカル交換機（ＬＥ）１１およびＩＰネットワーク（４）側のソフトスイッチ（ＳＳ）１２も併せて記載する。【００３２】
本図のＡＧＷ２はまず、ＩＡＤ７からのＩＰパケットの受信を行うＩＡＤインタフェース（ＩＡＤ・ＩＮＦ）２１を備える。このＩＡＤインタフェース２１に入力されるＩＰパケットは、制御パケットと音声パケットからなる。【００３３】
ＩＡＤインタフェース２１を経た制御パケットは、制御信号変換機能部２２に入力されここで制御情報の変換処理がなされる。一方、ＩＡＤインタフェース２１を経た音声パケットは、音声信号変換機能部２３に入力され、ここで音声情報の変換処理がなされる。【００３４】
変換処理後の上記制御信号および音声信号はＩＰ／ＰＳＴＮ振分け機能部２４に入力され、ここでソフトスイッチ（ＳＳ）１２に転送すべきＩＰパケットを該ＳＳ１２側に、ローカル交換機（ＬＥ）１１に転送すべきＴＤＭ（Time Division Multiplex）信号をＬＥ１１側に、それぞれ振り分ける。【００３５】
ここで上記制御信号変換機能部２２は、
ＩＡＤ７とＩＡＤインタフェース２１との間の転送制御を規定する第１プロトコルと、ＩＰ／ＰＳＴＮ振分け機能部２４とソフトスイッチ（ＳＳ）１２との間の転送制御を規定する第２プロトコルとの間のプロトコル変換と、
ＩＰ／ＰＳＴＮ振分け機能部２４とローカル交換機（ＬＥ）１１との間の転送制御を規定する第３プロトコルと、上記第１プロトコルとの間のプロトコル変換と、を行う。【００３６】
さらにまた上記制御信号変換機能部２２は、
ＩＡＤ７とＩＡＤインタフェース２１との間で転送される第１ＩＰパケットのＩＰアドレスと、ＩＰ／ＰＳＴＮインタフェース２４とソフトスイッチ（ＳＳ）１２との間で転送される第２ＩＰパケットのＩＰアドレスとの間のアドレス変換と、
ＩＰ／ＰＳＴＮインタフェース２４とローカル交換機（ＬＥ）１１との間で転送されるＴＤＭ信号の電話番号と、上記第１ＩＰパケットとのＩＰアドレスとの間の番号−アドレス変換と、を行う。【００３７】
なお、上記の動作は下位のＩＡＤ７側から上位ネットワーク（３，４）側へのアップリンク制御について記載したが、この逆の、上位ネットワーク（３，４）側から下位のＩＡＤ７側へのダウンリンク制御については、上述とは逆の制御を行う。【００３８】
図３は本発明の一実施例によるアクセスゲートウェイ（ＡＧＷ）２を示す図である。本図の構成は、図２に示したＡＧＷ２の構成の概要を、実際の装置構成に即して具体的に示すものである。【００３９】
本図の統合アクセス装置（ＩＡＤ）７側から見てみると、ＡＧＷ２の一端にはＩＡＤインタフェース・モジュール３１が設けられる。これは、図２におけるＩＡＤインタフェース（ＩＡＤ・ＩＮＦ）に相当する。このモジュール３１には、例えばプロトコルＨ．２４８によるＶｏＩＰリンクを通して、ＩＡＤ７からのＩＰパケットが入力され、このモジュール３１にて制御パケットと音声パケットとに分離される。【００４０】
上記の分離された制御パケットは、まずＭＥＧＡＣＯスタック・モジュール３２に入力される。なお、本モジュール３２と、後述するモジュール３３，３４とにより、図２の制御信号変換機能部２２を構成する。なお、上記モジュール３３および３４は、モジュール３５と共に、モジュール３８からの指令を受ける。このＭＥＧＡＣＯ（Media Gateway Control）スタック・モジュール３２はＩＰ電話サービスを提供する上で必要なプロトコル制御を行う。【００４１】
次段のＭＧＣ（Media Gateway Control）レジスタ・モジュール３３は、ＩＡＤ配下の加入者の情報を登録すると共に、各該加入者の通話状態を監視する。【００４２】
上記ＭＥＧＡＣＯスタック・モジュール３２は、上記のＭＧＣレジスタ・モジュール３３とシグナリング変換モジュール３４とに連携する。このシグナリング変換モジュール３４は、前述した第１プロトコル（ＡＧＷ−ＩＡＤ）と前述した第２プロトコル（ＳＳ−ＡＧＷ）との間でのプロトコル変換と、その第１プロトコルと前述した第３プロトコル（ＬＥ−ＡＧＷ）との間でのプロトコル変換と、を行う（後述の図４参照）。【００４３】
このシグナリング変換モジュール３４はまた、前述したアドレス変換を行う。すなわち、ＡＧＷ−ＩＡＤ間のパケットのＩＰアドレスと、ＳＳ−ＡＧＷ間のパケットのＩＰアドレスとの間のアドレス変換と、ＡＧＷ−ＩＡＤ間のパケットのＩＰアドレスと、ＬＥ−ＡＧＷ間の電話番号との間の番号−アドレス変換と、を行う（後述の図５参照）。【００４４】
一方、ＩＡＤインタフェース・モジュール３１からの上記音声パケットはまず、ＲＴＰ／ＲＴＣＰモジュール３６に入力される。なお、このモジュール３６と、後述するモジュール３５および３７とにより、図２の音声信号変換機能部２３を構成する。【００４５】
ＲＴＰ（Real-time Transport Protocol）／ＲＴＣＰ（Real-Time Control Protocol）モジュール３６は、音声パケットをＲＴＰパケット化するための処理を行う。【００４６】
このＲＴＰ／ＲＴＣＰモジュール３６を経た音声パケットはＤＳＰモジュール３７に入力される。このＤＳＰモジュール３７は、モジュール３６を経た音声パケットをＰＳＴＮネットワーク向けのＴＤＭ信号にデジタル変換し、また、該モジュール３６を経た音声パケットをＩＰネットワーク向けの信号にデジタル処理し、モジュール３９→４０→４２に送る。【００４７】
この場合ＤＳＰモジュール３７は、リソースマネージャ・モジュール３５によって管理される。すなわちこのモジュール３５は、ＤＳＰのリソースを、ＡＧＷ内に確立される通話トラヒックを監視しながら輻輳を生じさせないように、管理する。【００４８】
一方プロビジョンマネージャ・モジュール３８は、ＩＡＤ７の配下の加入者についてセットアップ等の各通話制御を指揮するものであり、図２のＩＰ／ＰＳＴＮ振分け機能部２４の主要部をなす。さらにこの振分け機能部２４に属するのは、ＴＤＭスイッチ（ＴＤＳＷ）４１と、プロセッサ（ＭＰＵ）４２である。かかるモジュール３８の機能により、ＩＡＤ配下の加入者ＩＰ電話サービスを実現する機能をＡＧＷ２に収容する。ちなみに、かかる機能は従来、ＳＳ１２に直接収容していた。【００４９】
上記のＴＤＭスイッチ４１は、ＴＤＭ信号を、例えばＶ５．２といった既存のプロトコルで、ＬＥ１１との間で転送制御する。一方上記のプロセッサ（ＭＰＵ）４２は、ＩＰパケットを、例えばＨ．２４８といった既存のプロトコルで、ＳＳ１１との間で転送制御する。【００５０】
なお上記のモジュール３１〜３８は通常複数のカードに分散して形成される。このため実際にはこれらのカード間で信号や情報のやりとりが行われる。このようなカード間のやりとりを行うのが、ＩＣＭ（Inter-Card Message）信号・モジュール３９およびＩＣＭモジュール４０である。【００５１】
上記のとおり図３において、図２に示す制御信号変換機能部２２は、少なくとも、プロトコル制御を行うＭＥＧＡＣＯスタック・モジュール３２と、ＩＡＤ配下の加入者の通話状態を監視するＭＧＣレジスタ・モジュール３３と、プロトコル変換とＩＰアドレス変換ならびに番号−アドレス変換を行うシグナリング変換モジュール３４を含んで構成される。【００５２】
一方、図２に示す音声信号変換機能部２３は、音声パケットを入力とするＲＴＰ／ＲＴＣＰモジュール３６と、モジュール３６を経た音声パケットをＬＥ１１側向けおよびＳＳ１２側向けの信号にデジタル処理するＤＳＰモジュール３７とを含んで構成される。【００５３】
またＩＰ／ＰＳＴＮ振分け機能部２４（図２）は、ＩＡＤ７の配下の全加入者について各通話制御を指揮するプロビジョンマネージャ・モジュール３８と、その指揮のもとで、ＬＥ１１との間で所定のプロトコルでＤＳＰ３７からのＴＤＭ信号の転送を行うＴＤＭスイッチ４１と、ＳＳ１２との間で所定のプロトコルでＤＳＰ３７からのＩＰパケットの転送を行うプロセッサ（ＭＰＵ）４２とを含んでなる。【００５４】
上記プロセッサ４２は、上位のＳＳ１２より障害発生等の通知を受けると、プロビジョンマネージャ・モジュール３８を介し、現状の通話路をＴＤＭスイッチ４１側の通話路に切り替える。【００５５】
上記ＴＤＭスイッチ４１は、上位のＬＥ１１側から障害発生等の通知を受けると、プロビジョンマネージャ・モジュール３８を介し、現状の通話路をプロセッサ４２側の通話路に切り替える。【００５６】
ＰＳＴＮへのルートの形成は、まずＩＡＤ７とＭＧＣレジスタ・モジュール３３との間のリンクを、ＭＥＧＡＣＯスタック・モジュール３２により確立し、該モジュール３２とＴＤＭスイッチ４１との間で、制御信号のプロトコル変換、例えばＨ２．４８−ＩＣＭ−Ｖ５．２、を行って、ＬＥ１１−ＩＡＤ７間のシグナリングを確立する。【００５７】
一方音声信号については、ＩＡＤインタフェース・モジュール３１−ＲＴＰ／ＲＴＣＰモジュール３６−ＴＤＭスイッチ４１により、音声パケットをＴＤＭ信号に変換し、ＬＥ１１との通話路を確立する。【００５８】
一方ＩＰネットワークへのルートの形成は、まずＩＡＤ７とＭＧＣレジスタ・モジュール３３との間のリンクを、ＭＥＧＡＣＯスタック・モジュール３２により確立し、プロビジョンマネージャ３８→プロセッサ（ＭＰＵ）４２のルートで、ＳＳ１２に加入者の登録を行って、ＳＳ１２とＩＡＤ７間のシグナリングを確立する。【００５９】
一方音声パケットについては、プロセッサ４２経由でＳＳ１２に転送されて、ＩＡＤ７とＳＳ１２間の通話路が確立する。【００６０】
図４はアクセスゲートウェイ（ＡＧＷ）２内でのプロトコル変換を示す図である。本図の参照番号５１はプロトコル変換テーブルを表す。この変換テーブル５１は、シグナリング変換モジュール３４（図２）内に形成することができる。本図の例によれば、あるＩＡＤ７はプロトコルＨ．２４８を使用し、また他のＩＡＤ７はＳＩＰを使用しているが、テーブル５１はこの他、ＭＧＣＰやＨ．３２３等にも対応できる。【００６１】
またＬＥ１１に対しては、既述のＶ５．２の他に、Ｖ５．１や内部仕様（Propriety Protocol）にも対応するようになっている。【００６２】
一方ＳＳ１２に対しては、既述のＨ．２４８の他にＭＧＣＰ，ＳＩＰ，Ｈ．３２３等にも対応できるようになっている。【００６３】
図５はアクセスゲートウェイ（ＡＧＷ）２でのＩＰアドレス（番号−アドレス）変換の一例を表す図である。本図の参照番号５２はアドレス（番号）変換テーブルを表す。この変換テーブル５２は、シグナリング変換モジュール３４（図２）内に形成されるが、入力アドレスや入力電話番号を監視する既述のプロビジョンマネージャ・モジュール３８（図２）と協働することによって実現される。図示するとおり、ＬＥ１１の番号とＩＰアドレスとの間は、例えばレイヤ３（Ｌ３）のアドレスを仲介として、一対一の対応を確立している。【００６４】
図６は本発明のアクセスゲートウェイ（ＡＧＷ）２を用いたときに用いる物理層インタフェースの一列を示す図である。本図に示すとおり、ＡＧＷ２とＳＳ１２との間の物理層インタフェースには、ＩＡＤ７との間の物理層インタフェースと同様のＩＰ/Ｅｔｈｅｒｎｅｔ（登録商標）を用いることができる。一方ＬＥ１１とＡＧＷ２との間の物理層インタフェースとしては、Ｅ１あるいはＳＴＭ−１を用いることができる。【００６５】
以上、ＩＰ通信であってもＰＳＴＮでの通信品質を必要に応じて確保できるＡＧＷ２について述べたが、さらに応用を広げれば、このＡＧＷ２により種々のサービスの運用が可能である。【００６６】
図７は本発明のアクセスゲートウェイ（ＡＧＷ）２の運用方法の一例を説明するための図である。このＡＧＷ２を用いることにより、通信事業は様々なサービスをＩＡＤ加入者に提供することができる。サービスタイプ０〜サービスタイプ３である。【００６７】
サービスタイプ０は、ＶｏＩＰ通信が主体（○）であるが、必要に応じてＰＳＴＮへの発呼が可能（△）であり、
サービスタイプ１は、ＶｏＩＰ通信のみが可能である。【００６８】
サービスタイプ２は、ＰＳＴＮ通信が主体（○）であるが、必要に応じてＶｏＩＰの発呼が可能（△）であり、
サービスタイプ３は、ＰＳＴＮ通信のみが可能である。
以上のサービスタイプの設定は、プロビジョンマネージャ・モジュール３８（図３）に対して行うことができる。【００６９】
上記の運用も可能にする本発明に係るＡＧＷの発明は、ＡＧＷの運用方法としても把握することができる。その方法のステップは、
１）加入者側に配置されるＩＡＤ７配下の加入者ＩＰ電話サービスを実現する機能をＡＧＷ２内に収容し、
２）前記加入者ＩＰ電話サービスとして、ＬＥ１１を介したＰＳＴＮネットワーク３との通話路と、ＳＳ１２を介したＩＰネットワーク４との通話路と、を択一的に形成可能とし、
３）上記の２つの通話路の形成のために、ＩＡＤ７とＡＧＷ２との間のプロトコルと、ＡＧＷ２とＬＥ１１またはＳＳ１２との間のプロトコルとの間でのプロトコル変換を行い、
４）上記の２つの通話路の形成のために、ＩＡＤ７とＡＧＷ２との間で転送されるＩＰパケットのアドレスと、ＡＧＷ２とＬＥ１１またはＳＳ１２との間で転送される通話信号の電話番号またはＩＰアドレスとの間での番号−アドレス変換を行う、
各ステップよりなる。【００７０】
また、
５）ＡＧＷ２において、ＳＳ１２側で障害等が発生しているか否か監視し、
６）上記障害等が発生していると、ＡＧＷ１２において判定したとき、前記ＩＰネットワーク４との間に形成されていた通話路を、前記ＬＥ１１側への通話路に切り替える、各ステップをさらに有する。
【図１】
2009031205.tif 000003
【図２】
2009031205.tif 000004
【図３】
2009031205.tif 000005
【図４】
2009031205.tif 000006
【図５】
2009031205.tif 000007
【図６】
2009031205.tif 000008
【図７】
2009031205.tif 000009
【手続補正書】
【提出日】平成21年12月28日(2009.12.28)
【手続補正１】
【補正対象書類名】特許請求の範囲
【補正対象項目名】全文
【補正方法】変更
【補正の内容】
【特許請求の範囲】
【請求項１】
制御パケットと音声パケットからなるＩＰパケットを統合アクセス装置（ＩＡＤ）から受信するＩＡＤインタフェースと、
前記ＩＡＤインタフェースからの前記制御パケットを入力として制御情報の変換を行う制御信号変換機能部と、
前記ＩＡＤインタフェースからの前記音声パケットを入力として音声情報の変換を行う音声信号変換機能部と、
前記変換後の制御情報と前記変換後の音声情報とを入力として、前記ＩＰパケットをＩＰネットワーク側のソフトスイッチ（ＳＳ）およびＰＳＴＮ側のローカル交換機（ＬＥ）のいずれか一方に振り分ける振分け機能部と、
を備えることを特徴とするアクセスゲートウェイ。
【請求項２】
前記制御信号変換機能部は、
前記ＩＰパケットの転送制御を規定する第１プロトコルと、前記振分け機能部から前記ソフトスイッチ（ＳＳ）への転送制御を規定する第２プロトコルとの間のプロトコル変換と、
前記第１プロトコルと、前記振分け機能部から前記ローカル交換機（ＬＥ）への転送制御を規定する第３プロトコルとの間のプロトコル変換と、
前記統合アクセス装置（ＩＡＤ）側で転送される前記ＩＰパケットのＩＰアドレスと、前記ソフトスイッチ（ＳＳ）側で転送される前記ＩＰパケットのＩＰアドレスとの間のアドレス変換と、
前記統合アクセス装置（ＩＡＤ）側で転送される前記ＩＰパケットのＩＰアドレスと、前記ローカル交換機（ＬＥ）側で転送されるＴＤＭ信号の電話番号との間の番号−アドレス変換と、
を行うことを特徴とする請求項１に記載のアクセスゲートウェイ。
【請求項３】
前記制御信号変換機能部は、
前記統合アクセス装置（ＩＡＤ）と接続するＩＡＤインタフェース・モジュールと、
該ＩＡＤインタフェース・モジュールに接続し、ＩＰ電話サービスのためのプロトコル制御を行うＭＥＧＡＣＯスタック・モジュールと、
該ＭＥＧＡＣＯスタック・モジュールに接続し、前記統合アクセス装置（ＩＡＤ）の配下の加入者情報を登録しかつ該加入者の通話状態を監視するＭＧＣ（Media Gateway Control）レジスタ・モジュールと、
前記ＭＥＧＡＣＯスタック・モジュールに接続し、前記プロトコル変換および前記アドレス変換を行うシグナリング変換モジュールと、
を有することを特徴とする請求項２に記載のアクセスゲートウェイ。
【請求項４】
前記音声信号変換機能部は、
前記統合アクセス装置（ＩＡＤ）と接続するＩＡＤインタフェース・モジュールと、
該ＩＡＤインタフェース・モジュールに接続し、前記ＩＰパケットをＲＴＰパケット化するＲＴＰ／ＲＴＣＰモジュールと、
該ＲＴＰ／ＲＴＣＰモジュールからの出力パケットを入力として、これを前記ローカル交換機（ＬＥ）向けのＴＤＭ信号にデジタル処理し、また、前記出力パケットを入力として、これを前記ソフトスイッチ（ＳＳ）向けのＩＰパケット信号にデジタル処理するＤＳＰモジュールと、
該ＤＳＰモジュールのリソースを管理するリソースマネージャ・モジュールと、
を有することを特徴とする請求項２に記載のアクセスゲートウェイ。
【請求項５】
前記ＤＳＰモジュールからの出力デジタル信号を、前記第２プロトコルに従って前記ソフトスイッチ（ＳＳ）に転送するプロセッサと、
前記ＤＳＰモジュールからの出力デジタル信号を、前記第３プロトコルに従って前記ローカル交換機（ＬＥ）に転送するＴＤＭスイッチと、
を備えることを特徴とする請求項４に記載のアクセスゲートウェイ。
【請求項６】
前記プロセッサおよびＴＤＭスイッチと、前記統合アクセス装置（ＩＡＤ）の配下の加入者についてその通話制御を管理して前記プロセッサおよびＴＤＭスイッチからの前記ＩＰパケットおよびＴＤＭ信号の配信を制御するプロビジョンマネージャ・モジュールと、から前記振分け機能部を構成することを特徴とする請求項５に記載のアクセスゲートウェイ。
【請求項７】
統合アクセス装置（ＩＡＤ）の配下の加入者ＩＰ通話サービスを実現する機能をアクセスゲートウェイ（ＡＧＷ）内に収容し、
前記加入者ＩＰ電話サービスとして提供する通話であって、前記ソフトスイッチ（ＳＳ）を介したＩＰネットワークとの通話路および前記ローカル交換機（ＬＥ）を介したＰＳＴＮネットワークとの通話路、のいずれか一方を択一的に切り替え、
前記２つの通話路の形成のために、前記統合アクセス装置（ＩＡＤ）との間で使用されるプロトコルと、前記ソフトスイッチ（ＳＳ）との間で使用されるプロトコルまたは、前記ローカル交換機（ＬＥ）との間で使用されるプロトコルとの間のプロトコル変換を行い、
前記２つの通話路の形成のために、前記統合アクセス装置（ＩＡＤ）との間で転送されるＩＰパケットのＩＰアドレスと、前記ソフトスイッチ（ＳＳ）との間で転送されるＩＰパケットのＩＰアドレスまたは前記ローカル交換機（ＬＥ）との間で転送されるＴＤＭ信号の電話番号との間のアドレス変換を行う、
ことを特徴とするアクセスゲートウェイの運用方法。
【請求項８】
前記ソフトスイッチ（ＳＳ）側で障害等が発生しているか否か監視し、
前記障害等が発生していると判定したとき、前記ソフトスイッチ（ＳＳ）との間で形成している前記通話路を、前記ローカル交換機（ＬＥ）側の通話路に切替える
ことを特徴とする請求項７に記載のアクセスゲートウェイの運用方法。
【国際調査報告】
2009031205.tif 000010
2009031205.tif 000011
2009031205.tif 000012
2009031205.tif 000013
2009031205.tif 000014
2009031205.tif 000015